(57)【特許請求の範囲】
【請求項１】
システムであって、
ボルトに結合するように構成された第１の端部、前記第１の端部の反対側の第２の端部、及び、第１の絶縁領域と第２の絶縁領域の間の導電領域、を含む接触デバイスと、
前記ボルトのネジ突出の量を検証するためのユニットであって、前記接触デバイスの前記第２の端部が該ユニットを通って移動する時に該接触デバイスと順次接触するように各々が配置された複数の電気ブラシを含む前記ユニットと、
を含み、
前記複数の電気ブラシは、
前記接触デバイスの前記導電領域に電流又は電圧を印加するように構成された給電ブラシと、
前記接触デバイスの前記第２の端部が前記ユニットを通って少なくとも第１の距離を移動した時に前記ボルトの前記ネジ突出の量の第１の表示を発生するように構成された第１の電気ブラシと、
前記接触デバイスの前記第２の端部が前記ユニットを通って少なくとも第２の距離を移動した時に前記ボルトの前記ネジ突出の量の第２の表示を発生するように構成された第２の電気ブラシと、
前記接触デバイスの前記第２の端部が前記ユニットを通って少なくとも第３の距離を移動した時に前記ボルトの前記ネジ突出の量の第３の表示を発生するように構成された第３の電気ブラシと、
を含む、ことを特徴とするシステム。
【請求項２】
前記第１の電気ブラシは、該第１の電気ブラシが前記接触デバイスの前記導電領域と接触する時に前記ボルトの前記ネジ突出の量の前記第１の表示を発生するように構成され、  前記第２の電気ブラシは、該第２の電気ブラシが前記接触デバイスの前記導電領域と接触する時に前記ボルトの前記ネジ突出の量の前記第２の表示を発生するように構成され、  前記第３の電気ブラシは、該第３の電気ブラシが前記接触デバイスの前記導電領域と接触する時に前記ボルトの前記ネジ突出の量の前記第３の表示を発生するように構成される、
ことを特徴とする請求項１に記載のシステム。
【請求項３】
前記第１の表示は、前記ボルトの前記ネジ突出の量が許容範囲よりも低いという表示を含み、
前記第２の表示は、前記ボルトの前記ネジ突出の量が前記許容範囲内であるという表示を含み、
前記第３の表示は、前記ボルトの前記ネジ突出の量が前記許容範囲を超えるという表示を含む、
ことを特徴とする請求項１に記載のシステム。
【請求項４】
前記ネジ突出を検証するためのユニットは、１又は２以上の発生された前記表示のうちの１又は２以上をユーザに提供するためのディスプレイを更に含むことを特徴とする請求項１に記載のシステム。
【請求項５】
前記接触デバイスは、前記第１の端部に近接して該接触デバイスを前記ボルトの内側の固定距離に着座させるように構成された肩部を更に含むことを特徴とする請求項１のシステム。
【請求項６】
前記ネジ突出を検証するためのユニットの前記接触デバイスに対する位置を調節するための較正機構を更に含むことを特徴とする請求項１に記載のシステム。
【請求項７】
前記電気ブラシは、グラファイト直流モータブラシを含むことを特徴とする請求項１に記載のシステム。
【請求項８】
装置であって、
ハウジングと、
接触デバイスが前記ハウジングを通って移動する時に前記接触デバイスに順次接触するように各々が配置された複数の電気接点と、
前記接触デバイスに対する前記装置の位置を調節するための較正機構と、
を含み、
前記接触デバイスは、
ボルトに結合するように構成された第１の端部と、
前記第１の端部の反対側の第２の端部と、
第１の絶縁領域と第２の絶縁領域の間の導電領域と、
を含み、
前記複数の電気接点は、
前記接触デバイスの前記導電領域に電流又は電圧を印加するように構成された給電接点と、
前記接触デバイスの前記第２の端部が前記ハウジングを通って少なくとも第１の距離を移動した時に前記ボルトのネジ突出の量の第１の表示を発生するように構成された第１の電気接点と、
前記接触デバイスの前記第２の端部が前記ハウジングを通って少なくとも第２の距離を移動した時に前記ボルトの前記ネジ突出の量の第２の表示を発生するように構成された第２の電気接点と、
前記接触デバイスの前記第２の端部が前記ハウジングを通って少なくとも第１の距離を移動した時にナットからの前記ボルトの前記ネジ突出の量の第３の表示を発生するように構成された第３の電気接点と、
を含む、ことを特徴とする装置。
【請求項９】
前記第１の表示は、前記ボルトの前記ネジ突出の量が許容範囲よりも低いという表示を含み、
前記第２の表示は、前記ボルトの前記ネジ突出の量が前記許容範囲内であるという表示を含み、
前記第３の表示は、前記ボルトの前記ネジ突出の量が前記許容範囲を超えるという表示を含む、
ことを特徴とする請求項８に記載の装置。
【請求項１０】
１又は２以上の発生された前記表示のうちの１又は２以上をユーザに提供するためのディスプレイを更に含むことを特徴とする請求項８に記載の装置。
【請求項１１】
前記複数の電気接点は、グラファイト直流モータブラシを含むことを特徴とする請求項８に記載の装置。
【請求項１２】
第１の絶縁領域と第２の絶縁領域の間に導電領域を含む接触デバイスの第１の端部をボルトに結合する段階と、
ナットが締め付けられる時に前記接触デバイスがネジ突出を検証するためのユニットを通って移動するように前記ナットを前記ボルトに締め付ける段階であって、該ユニットが複数の電気ブラシを含み、前記複数の電気ブラシは、給電ブラシ、第１の電気ブラシ、第２の電気ブラシ、及び第３の電気ブラシを含み、該接触デバイスが該ユニットを通って移動する時に前記複数の電気ブラシの各々が該接触デバイスと順次接触するように配置された、前記締め付ける段階と、
前記複数の電気ブラシのうちの１又は２以上により、前記ナットからの前記ボルトのネジ突出の量の１又は２以上の表示を発生させる段階と、
を含み、
方法が、前記給電ブラシにより、前記接触デバイスの前記導電領域に電流又は電圧を印加する段階、を更に含み、
前記複数の電気ブラシのうちの１又は２以上により、前記ナットからの前記ボルトのネジ突出の量の１又は２以上の表示を発生させる前記段階は、
前記接触デバイスが前記ユニットを通って少なくとも第１の距離を移動した時に前記第１の電気ブラシが該接触デバイスの前記導電領域に接触すると、前記ボルトの前記ネジ突出の量の第１の表示を該第１の電気ブラシによって発生させる段階と、
前記接触デバイスが前記ユニットを通って少なくとも第２の距離を移動した時に前記第２の電気ブラシが該接触デバイスの前記導電領域に接触すると、前記ボルトの前記ネジ突出の量の第２の表示を該第２の電気ブラシによって発生させる段階と、
前記接触デバイスが前記ユニットを通って少なくとも第３の距離を移動した時に前記第３の電気ブラシが該接触デバイスの前記導電領域に接触すると、前記ボルトの前記ネジ突出の量の第３の表示を該第３の電気ブラシによって発生させる段階と、
のうちの１又は２以上を含む、ことを特徴とする方法。
【請求項１３】
前記第１の表示は、前記ボルトの前記ネジ突出の量が許容範囲よりも低いという表示を含み、
前記第２の表示は、前記ボルトの前記ネジ突出の量が前記許容範囲内であるという表示を含み、
前記第３の表示は、前記ボルトの前記ネジ突出の量が前記許容範囲を超えるという表示を含む、
ことを特徴とする請求項１２に記載の方法。
【請求項１４】
１又は２以上の発生された前記表示のうちの１又は２以上を表示する段階を更に含むことを特徴とする請求項１２に記載の方法。
【請求項１５】
前記ネジ突出を検証するためのユニットの前記接触デバイスに対する位置を調節する段階を更に含むことを特徴とする請求項１２に記載の方法。
【請求項１６】
前記複数の電気ブラシは、グラファイト直流モータブラシを含むことを特徴とする請求項１２に記載の方法。
【発明の詳細な説明】
【技術分野】
【０００１】
本発明の開示は、一般的に、締め付けシステム、より詳しくは、ネジ突出を検証するためのシステム及び方法に関する。
【背景技術】
【０００２】
航空機又は他の車両及び製品を製造する工程において、完成品の適正な作動を保証するために多数のファスナが要求される場合がある。ある一定の状況では、様々な構成要素は、ある一定の仕様を満たすことを要求される場合がある。例えば、ボルトのネジ突出の量を検証することが必要であると考えられる。仕様の準拠を検証することは、時間を消費して人為的ミスを受け易い可能性がある。
【発明の概要】
【発明が解決しようとする課題】
【０００３】
本発明の開示の実施形態により、ネジ突出の量を検証するための従来技術に関連付けられた欠点及び問題は、低減するか又は排除することができる。
【課題を解決するための手段】
【０００４】
ある一定の実施形態において、接触デバイスを含むシステムを開示する。接触デバイスは、ボルトに結合するように構成された第１の端部と、第１の端部の反対側の第２の端部と、第１の絶縁領域と第２の絶縁領域の間の導電領域とを含む。システムは、ボルトのネジ突出の量を検証するためのユニットを更に含む。ユニットは、複数の電気ブラシを含み、複数の電気ブラシの各々は、接触デバイスの第２の端部がユニットを通って移動する時に接触デバイスと順次接触するように配置される。複数の電気ブラシは、接触デバイスの導電領域に電流又は電圧を印加するように構成された給電ブラシと、接触デバイスの第２の端部がユニットを通って少なくとも第１の距離を移動した時にボルトのネジ突出の量の第１の表示を発生するように構成された第１の電気ブラシと、接触デバイスの第２の端部がユニットを通って少なくとも第２の距離を移動した時にボルトのネジ突出の量の第２の表示を発生するように構成された第２の電気ブラシと、接触デバイスの第２の端部がユニットを通って少なくとも第３の距離を移動した時にボルトのネジ突出の量の第３の表示を発生するように構成された第３の電気ブラシとを含む。
【０００５】
同じく開示するのは装置である。装置は、ハウジング及び複数の電気ブラシを含み、複数の電気ブラシの各々は、接触デバイスがハウジングを通って移動する時に接触デバイスと順次接触するように配置される。接触デバイスは、ボルトに結合するように構成された第１の端部と、第１の端部の反対側の第２の端部と、第１の絶縁領域と第２の絶縁領域の間の導電領域とを含む。
【０００６】
同じく開示するのは方法である。本方法は、第１の絶縁領域と第２の絶縁領域の間に導電領域を含む接触デバイスの第１の端部をボルトに結合する段階を含む。本方法は、ナットが締め付けられる時に接触デバイスがネジ突出を検証するためのユニットを通って移動するようにナットをボルトに締め付ける段階を更に含み、ユニットは、複数の電気ブラシを含み、複数の電気ブラシの各々は、接触デバイスがユニットを通って移動する時に接触デバイスと順次接触するように配置される。本方法は、複数の電気ブラシのうちの１又は２以上により、ナットからのボルトのネジ突出の量の１又は２以上の表示を発生させる段階を更に含む。
【０００７】
本発明の開示のある一定の実施形態は、１又は２以上の技術的利点を提供することができる。一例として、ネジ突出の検証は、ナットがボルト上に設置されるのと同時に行うことができ、ナットが設置された後に機械工がネジ突出検査を行うことを不要にし、機械工が不注意によって一部の検査ポイントを見逃すことになる可能性を低減するので有利である。別の例として、ネジ突出検証機構は、品質検査者が再検査する必要があると考えられるポイントの数を低減することができるので有利である。更に別の例として、不適合ファスナ設置を修理することに関連付けられた危険性は、生産工程中のできるだけ早期にそれらを識別して再加工することによって最小にすることができるので有利である。更に別の例として、ネジ突出検査を設置時に行うことを可能にするのに締め付けシステムに大きな修正を行う必要はないと考えられる。他の利点は、当業者には容易に明らかであると考えられる。ある一定の実施形態は、説明した利点がないか、一部を有するか、又は全てを有する場合がある。
【０００８】
開示した実施形態、並びにそれらの特徴及び利点をより完全に理解するために添付図面と共に以下の説明を参照する。
【図面の簡単な説明】
【０００９】
【図１】ある一定の実施形態によるネジ突出を検証するためのシステムの第１の図である。
【図２】ある一定の実施形態によるネジ突出を検証するためのシステムの第２の図である。
【図３】ある一定の実施形態による図１及び図２に示すネジ突出を検証するためのシステムに使用することができる例示的接触デバイスを例示する図である。
【図４】ある一定の実施形態による図１及び図２に示すネジ突出を検証するためのシステムに使用することができる例示的給電ブラシ又は電気ブラシを例示する図である。
【図５Ａ】ある一定の実施形態による接触デバイス凹部を有する例示的ボルトを例示する図である。
【図５Ｂ】ある一定の実施形態による接触デバイスをボルトに結合する時に生じる場合がある不整合貫通を例示する図である。
【図５Ｃ】ある一定の実施形態による図５Ｂの接触デバイスをボルトに肩部を用いて結合することを例示する図である。
【図５Ｄ】ある一定の実施形態による図５Ｂの接触デバイスをボルトに肩部を用いて結合することを例示する図である。
【図６】ある一定の実施形態によるネジ突出を検証する方法を例示する図である。
【発明を実施するための形態】
【００１０】
上述のように、航空機又は他の車両及び製品を製造する工程において、完成品の適正な作動を保証するために多くのファスナが要求される場合がある。例えば、航空機の製造には、一般的に、機体の構造的一体性及び性能に不可欠な何千ものファスナの設置が含まれ、厳密な品質管理要求がある。各ファスナ設置には、視覚的かつ手動による検査を要求する多数の品質管理機能が含まれる場合があり、それによって工業規格への準拠を保証する。航空機又は他の車両及び製品を組み立てるために、多種類のファスナを使用することができる。例えば、一部の事例では、ＡｌｃｏａのＥＤＤＩＥ−ＢＯＬＴ締め付け工程を使用することができる。一部の場合に、ＥＤＤＩＥ−ＢＯＬＴ設置工程では、設置されたＥＤＤＩＥ−ＢＯＬＴの全てに対して２つの別々のネジ突出検査が要求される場合がある。１つの検査は、機械工によって実行することができ、１つの検査は、品質検査者によって実行することができる。既存の検査方法は、非常に労働集約的な場合があり、含まれるファスナの分量を考慮すると、各航空機に対して完全に準拠するファスナ設置のための工程後検査を行うのに長時間を消費する場合がある。
【００１１】
ネジ突出は、各設置の後に検査することができる１つの特徴であり、それによって設置されたボルトが正確な長さであったことが保証され、及び／又はファスナが完全に取り付けられたことが検証される。ネジ突出は、あらゆる適切な方式で定義することができ、ネジ突出を定義する方式は、具体的な用途によって変わる場合がある。例えば、ある一定の実施形態において、ネジ突出は、ナットの後側から突出するボルトピンの長さ（すなわち、ナットの表面から、ナットの後側から突出するボルトピンの上部までの距離）として定義することができる。ネジ突出のそのような定義は、例えば、使用されるナットの寸法が許容可能な許容誤差範囲に適合することが既知である時に適切であると考えられる。別の例として、ネジ突出は、ボルトが挿通される合成物又は表皮からナットの背部を通って突出するボルトピンの上部までの距離として定義することができる。ネジ突出のそのような定義は、例えば、使用されるナットの寸法が一致又は一貫していない場合に適切であると考えられる。
【００１２】
ネジ突出を検証するための既存の解決法は、小さいステップゲージを使用することである。例えば、航空機の検査中に、小さいステップゲージは、設置されたボルトに隣接する航空機の表面に装着される。検査者は、次に、ナットの後側から突出するボルトピンの長さがゲージの適切な部分内にあることを手動で検証する。一部の場合には、これは、機械工及び品質検査者の両者により、設置されたナットの１００％に対して手動で行われる。そのような手法には、ある一定の欠点がある場合がある。例えば、小さいステップゲージを用いて手動でネジ突出を検証する工程は、非常に時間を消費して人為的ミスを受け易い。
【００１３】
ある一定の実施形態において、ネジ突出検証機構を開示する。一般的に、ネジ突出検証機構は、ネジ突出を測定するために接触デバイスの移動を利用する。そうするために、接触デバイスの導電領域に電流又は電圧を印加し、導電領域は、この導電領域のいずれかの側にある２つの絶縁領域間に位置する。複数の電気ブラシは、接触デバイスが移動する時に接触デバイスと接触することができる。電気ブラシが接触デバイスの導電領域と接触する時に、電気ブラシは、設置されたナットからのボルトピンのネジ突出量の表示を発生する。ある一定の実施形態において、接触デバイス上に追加された肩部は、整合したボルト貫通を保つのを助ける。ある一定の実施形態において、ブラシアセンブリは、例えば、システムをハウジングに取り付ける２つの機械ネジのような較正機構を用いて較正することができる。
【００１４】
本明細書に説明するネジ突出検証機構により、ファスナが設置された後に機械工がステップゲージを用いて手動でネジ突出検査を行うことが不要になり、機械工が不注意によって一部の検査ポイントを見逃す危険性を低減又は排除することができるので有利である。更に、ネジ突出検証機構は、品質検査者が再検査する必要があると考えられる検査ポイントの数を低減することができるので有利である。不適合ファスナ設置を修理することに関連付けられる危険性は、生産工程中のできるだけ早期にそれらを識別して再処理することによって最小にすることができるので有利である。一部の実施形態において、ＥＤＤＩＥ−ＢＯＬＴレンチのような既存の締め付け工具に大きい修正をする必要がなく、それによってこの検査を設置時に行うことが可能になる。
【００１５】
図１は、ある一定の実施形態によるネジ突出を検証するためのシステム１００の第１の図である。より具体的には、ネジ突出を検証するためのシステム１００は、締め付けシステム１１０に結合されたハウジング１０５を含む。締め付けシステム１１０は、あらゆる適切な締め付けシステムとすることができる。例えば、締め付けシステム１１０は、Ａｌｃｏａ製のＥＤＤＩＥ−ＢＯＬＴレンチとすることができる。
【００１６】
一部の実施形態において、締め付けシステム１１０は、接触デバイス１１５を含むことができる。接触デバイス１１５は、ソケット１２０に結合することができ、接触デバイス１１５は、ボルト１２５に結合するように構成することができる。ボルト１２５は、ナット１３０に結合するように構成することができる。ボルト１２５及びナット１３０は、構造を締め付けるように適応させることができる。例えば、ボルト１２５及びナット１３０は、合成物／表皮１３５を締め付けるのに使用することができる。合成物／表皮１３５は、あらゆる適切な表面とすることができる。例えば、一部の実施形態において、合成物／表皮１３５は、航空機、車両の表面、又は他の適切な表面とすることができる。
【００１７】
ナット１３０がボルト１２５上でねじ込まれる時に、ボルト１２５の一部がナット１３０の背部から突出する場合がある。これは、ネジ突出１４０として図１に示されている。ネジ突出１４０の所望量は、ボルト１２５及びナット１３０の具体的な用途又は特定のタイプによって変わる場合がある。ボルト１２５が正確な長さであり及び／又はファスナが完全に取り付けられたことの検証のために、ネジ突出１４０の量が許容範囲にあることが必要になる場合がある。ネジ突出１４０の量は、ナット１３０をボルト１２５上で更にねじ込む時に増加する。図１では、ナット１３０の背部から突出するボルト１２５の長さとしてネジ突出１４０を示すが、ある一定の実施形態において、ネジ突出１４０は、合成物／表皮１３５からナット１３０の背部を通って突出するボルト１２５の上部までの距離とすることができる。
【００１８】
ある一定の実施形態では、ボルト１２５及びナット１３０は、特定の締め付けシステム１１０を用いて結合するのに具体的に適応させることができる。例えば、ある一定の実施形態において、ボルト１２５及びナット１３０は、Ａｌｃｏａ製のＥＤＤＩＥ−ＢＯＬＴ締め付けシステムの構成要素とすることができ、締め付けシステム１１０は、様々なＥＤＤＩＥ−ＢＯＬＴレンチのうちの１つとすることができる。ある一定の実施形態は、ＥＤＤＩＥ−ＢＯＬＴ締め付けシステムの関連で説明する場合があるが、本明細書に説明する様々な実施形態は、適切な幾何学的修正を加えて、あらゆる他の適切な締め付けシステムに適用可能である。
【００１９】
上述のように、締め付けシステム１１０は、接触デバイス１１５を含む。接触デバイス１１５は、あらゆる適切な材料又はこれらの材料の組合せで製造することができる。ある一定の実施形態において、接触デバイス１１５は、ＥＤＤＩＥ−ＢＯＬＴ締め付けシステムに使用するスプラインキーとすることができる。接触デバイス１１５は、第１の端部１４５と、この第１の端部１４５の反対側の第２の端部１５０とを有する。接触デバイス１１５の第１の端部１４５は、ボルト１２５に結合するように構成することができる。ある一定の実施形態において、接触デバイス１１５の第１の端部１４５は、締め付けシステム１１０がナット１３０をボルト１２５上でねじ込む間、ボルト１２５が回転することを防ぐことができる。ある一定の実施形態において、以下で図３及び図５に例示するように、接触デバイス１１５の第１の端部１４５は、肩部１５５を含むことができる。肩部１５５は、接触デバイス１１５がボルト１２５内で固定距離に着座することを可能にするように構成することができる。他の実施形態において、接触デバイス１１５は、あらゆる適切な方式でボルト１２５に結合することができ、肩部１５５を含まなくてもよい。
【００２０】
ある一定の実施形態において、接触デバイス１１５の第２の端部１５０は、導電領域１６０を含む。導電領域１６０は、この導電領域１６０に印加される電流又は電圧を伝導するように構成することができる。導電領域１６０は、導電性のあらゆる適切な材料又はこれらの材料の組合せで製造することができる。一例として、導電領域１６０は、銅で製造することができる。導電領域１６０は、第１の絶縁領域１６５と第２の絶縁領域１７０の間にあることができる。第１の絶縁領域１６５及び第２の絶縁領域１７０は、電流又は電圧を伝導しないあらゆる適切な材料から形成することができる。例えば、第１の絶縁領域１６５及び第２の絶縁領域１７０は、「超電気絶縁性Ｒｅｘｏｌｉｔｅポリスチレン」から形成することができる。
【００２１】
ハウジング１０５は、接触デバイス１１５の一部がハウジング１０５の内側に位置決めされるように締め付けシステム１１０に結合することができる。ハウジング１０５は、あらゆる適切な方式で締め付けシステム１１０に結合することができる。ある一定の実施形態において、ハウジング１０５は、締め付けシステム１１０へ取り外し可能に結合することができる。ハウジング１０５は、あらゆる適切な材料から形成することができる。一例として、ハウジング１０５は、プラスチックから形成することができる。ハウジング１０５は、あらゆる適切な構成要素を含むことができる。例えば、ハウジング１０５は、給電ブラシ１７５と、複数の電気ブラシ１８０（例えば、１８０Ａ〜１８０Ｃ）とを含む。ある一定の実施形態において、給電ブラシ１７５及び複数の電気ブラシ１８０は、ブラシアセンブリ１８５の構成要素とすることができる。ある一定の実施形態において、給電ブラシ１７５及び複数の電気ブラシ１８０は、個々の構成要素とすることができる。
【００２２】
給電ブラシ１７５及び複数の電気ブラシ１８０は、あらゆる適切な電気ブラシとすることができる。締め付けシステム１１０がナット１３０をボルト１２５上でねじ込む時に接触デバイス１１５がハウジング１０５を通って移動すると、給電ブラシ１７５及び複数の電気ブラシ１８０が接触デバイス１１５と接触するように構成される。給電ブラシ１７５は、導電領域１６０に電流又は電圧を印加するように構成することができる。給電ブラシ１７５及び複数の電気ブラシ１８０は、あらゆる適切な材料から形成することができる。例えば、ある一定の実施形態において、給電ブラシ１７５及び複数の電気ブラシ１８０は、グラファイトから形成された直流（ＤＣ）モータブラシとすることができる。ある一定の実施形態において、給電ブラシ１７５の一部及び複数の電気ブラシ１８０の形状は曲げることができる。それによって接触デバイス１１５と給電ブラシ１７５及び／又は電気ブラシ１８０との間により良い接触をもたらすことができるので有利である。給電ブラシ１７５及び電気ブラシ１８０は、以下で図４に関してより詳細に説明する。
【００２３】
作動において、締め付けシステム１１０は、ナット１３０をボルト１２５上でねじ込むのに使用することができる。締め付けシステム１１０がナット１３０をボルト１２５上でねじ込む時に、締め付けシステム１１０及びハウジング１０５は、ボルト１２５及びナット１３０が設置されている合成物／表皮１３５に向けて移動することができる。締め付けシステム１１０及びハウジング１０５により、接触デバイス１１５は、ハウジング１０５を通って移動することができる。ある一定の実施形態において、給電ブラシ１７５は、導電領域１６０に電流又は電圧を印加することができる。ナット１３０がボルト１２５上でねじ込まれる時に接触デバイス１１５がハウジング１０５を通って移動し続けると、電気ブラシ１８０は、導電領域１６０と順次接触することができる。すなわち、締め付けシステム１１０がナット１３０をボルト１２５上でねじ込む時に、複数の電気ブラシ１８０の各々は、接触デバイス１１５がハウジング１０５を通って移動する時に異なる時間に導電領域１６０と接触することができる。例えば、第１の電気ブラシ１８０Ａは、接触デバイス１１５の第２の端部１５０がハウジング１０５を通って少なくとも第１の距離を移動した時に導電領域１６０と接触することができ、第２の電気ブラシ１８０Ｂは、接触デバイス１１５の第２の端部１５０がハウジング１０５を通って少なくとも第２の距離を移動した時に導電領域１６０と接触することができ、第３の電気ブラシ１８０Ｃは、接触デバイス１１５の第２の端部１５０がハウジング１０５を通って少なくとも第３の距離を移動した時に導電領域１６０と接触することができる。給電ブラシ１７５及び電気ブラシ１８０は、ナット１３０がボルト１２５上でねじ込まれるのと同じ速度で接触デバイス１１５に沿って移動することができる。
【００２４】
ある一定の実施形態では、電気ブラシ１８０が導電領域１６０と接触して給電ブラシ１７５が導電領域１６０に電流又は電圧を印加する時に、電気ブラシ１８０は、ナット１３０の背部からのボルト１２５のネジ突出１４０の量の表示を発生することができる。ネジ突出１４０の量の表示は、接触デバイス１１５の位置に基づくことができる。例えば、複数の電気ブラシ１８０のうちの１つが導電領域１６０と接触し、電流又は電圧が給電ブラシ１７５によって印加される時に、それによって電気ブラシ１８０が接触デバイス１１５の導電領域１６０に接触することになり、工具へメッセージを送る。例えば、各電気ブラシ１８０は、接触デバイス１１５の導電領域１６０と接触すれば、接触デバイス１１５の位置をネジ突出１４０の量に変換することができる。ある一定の実施形態において、個々の電気ブラシ１８０からの信号により、チェックポイント（例えば、「短すぎる」、「正確である」、「長すぎる」）のためのＬＥＤライトを点灯することができる。この設計により、接触デバイス１１５の移動を用いて、正確なネジ突出測定が得られる。ある一定の実施形態において、複数の電気ブラシ１８０の位置、導電領域１６０の長さ、並びに第１の絶縁領域１６５及び第２の絶縁領域１７０の長さは、様々なチェックポイント（例えば、「短すぎる」、「正確である」、「長すぎる」）に関連付けられた領域を決定することができ、かつネジ突出測定に直接に関連付け可能とすることができる。これは、図２に関して以下でより詳細に説明する。
【００２５】
図２は、ある一定の実施形態によるネジ突出を検証するためのシステムを例示する第２の図である。上述のように、ハウジング１０５は、このハウジング１０５が接触デバイス１１５の一部の上に位置決めされるように締め付けシステム１１０に結合することができる。ハウジング１０５は、単一給電ブラシ１７５と、あらゆる適数の電気ブラシ１８０とを含む。図２に例示する実施形態は、例えば、３つの電気ブラシ１８０Ａ、１８０Ｂ、及び１８０Ｃを含む。給電ブラシ１７５、並びに電気ブラシ１８０Ａ、１８０Ｂ、及び１８０Ｃは、接触デバイス１１５と接触するように構成することができる。一部の実施形態において、給電ブラシ１７５、並びに電気ブラシ１８０Ａ、１８０Ｂ、及び１８０Ｃは、ブラシアセンブリ１８５に設置することができる。
【００２６】
上述のように、接触デバイス１１５は、第１の絶縁領域１６５と第２の絶縁領域１７０の間に導電領域１６０を含むことができる。図１に関して上述したように、締め付けシステム１１０がナット１３０をボルト１２５上でねじ込む時に、接触デバイス１１５は、ハウジング１０５を通って移動することができる。ある一定の実施形態において、給電ブラシ１７５及び電気ブラシ１８０Ａ〜１８０Ｃは、接触デバイス１１５がハウジング１０５を通って移動する時に接触デバイス１１５の導電領域１６０と順次接触するように構成することができる。
【００２７】
例示するために以下の例を考察する。上述のように、締め付けシステム１１０は、ナット１３０をボルト１２５上でねじ込むのに使用することができる。ナット１３０をボルト１２５上でねじ込む前に接触デバイス１１５が初期位置に静止している時に、給電ブラシ１７５及び電気ブラシ１８０は、接触デバイス１１５に接触することができる。そのような時に、複数のブラシのいずれかが第１の絶縁領域１６５に接触することができ、不完全な回路を生成する。
【００２８】
ナット１３０が締め付けシステム１１０によってねじ込まれてボルト１２５上で下がる時に、接触デバイス１１５は、ハウジング１０５を通って上方に移動することができる。接触デバイス１１５が移動すると、給電ブラシ１７５は、導電領域１６０と接触することができる。給電ブラシ１７５は、導電領域１６０に電流又は電圧を印加することができる。接触デバイス１１５がハウジング１０５を通って上方に移動し続ける時に導電領域１６０が給電ブラシ１７５に接触している間に、別の電気ブラシ１８０は、導電領域１６０と接触することができる。例えば、図２に例示した実施形態において、ナット１３０がねじ込まれてボルト１２５上で下がる時に、導電領域１６０と接触すべき次の電気ブラシ１８０は、電気ブラシ１８０Ａであることになる。
【００２９】
電気ブラシ１８０Ａは、接触デバイス１１５がハウジング１０５を通って少なくとも第１の距離を移動した後に、導電領域１６０に接触することができる。その時点では、給電ブラシ１７５及び電気ブラシ１８０Ａだけが導電領域１６０に接触することができる。電気ブラシ１８０Ｂ及び１８０Ｃは、その時点で、例えば、第１の絶縁領域１６５に接触することができる。給電ブラシ１７５が導電領域１６０と接触して電流又は電圧を印加した状態で、第１の回路を完成することができ、ボルト１２５のネジ突出１４０の量の第１の表示を発生することができる。例えば、電気ブラシ１８０Ａが導電領域１６０と接触すると第１のＬＥＤライトを点灯する第１の回路を完成することができる。第１のＬＥＤライトは、ネジ突出１４０の量の第１の表示を与えることができる。例えば、第１の表示は、ネジ突出１４０の量が短すぎる又は許容範囲よりも低いという表示を含むことができる。許容範囲は、あらゆる適切な範囲とすることができる。例えば、許容範囲は、使用しているボルトの具体的なタイプのための満足できるネジ突出とすることができ、具体的な用途に従って変わる場合がある。
【００３０】
締め付けシステム１１０が、ボルト１２５を下ってナット１３０をネジ込み続ける時に、接触デバイス１１５は、ハウジング１０５を通って上に移動し続けることができる。ハウジング１０５を通って少なくとも第２の距離を移動した後に、電気ブラシ１８０Ｂは、導電領域１６０に接触することができる。給電ブラシ１７５が導電領域１６０に接触している間に電流又は電圧を印加すると、電気ブラシ１８０Ｂは、ボルト１２５のネジ突出１４０の量の第２の表示を発生することができる。例えば、ある一定の実施形態において、電気ブラシ１８０Ｂが導電領域１６０と接触すると第２のＬＥＤライトを点灯する第２の回路を完成することができる。第２のＬＥＤライトは、ネジ突出１４０の量の第２の表示を与えることができる。例えば、電気ブラシ１８０Ｂが導電領域１６０に接触している時に、第２の表示は、ネジ突出１４０の量が許容範囲内であるという表示を含むことができる。上述のように、許容範囲は、あらゆる適切な範囲とすることができ、具体的な用途に従って変わる場合がある。
【００３１】
締め付けシステム１１０が、ボルト１２５を下ってナット１３０をネジ込み続ける時に、接触デバイス１１５は、ハウジング１０５を通って更に上に移動し続けることができる。ハウジング１０５を通って少なくとも第３の距離を移動した後に、電気ブラシ１８０Ｃは、導電領域１６０と接触することができる。給電ブラシ１７５が導電領域１６０に接触している間に電流又は電圧を印加すると、電気ブラシ１８０Ｃは、ボルト１２５のネジ突出１４０の量の第３の表示を発生することができる。例えば、電気ブラシ１８０Ｃが導電領域１６０と接触する時に第３のＬＥＤライトを点灯する第３の回路を完成させることができる。第３のＬＥＤライトは、ネジ突出１４０の量の第３の表示を与えることができる。例えば、電気ブラシ１８０Ｃが導電領域１６０に接触している時に、第３の表示は、ネジ突出１４０の量が長すぎるか又は許容範囲を超えるという表示を含むことができる。上述のように、許容範囲は、あらゆる適切な範囲とすることができ、具体的な用途に従って変わる場合がある。
【００３２】
締め付けシステム１１０によって使用されるボルト１２５及びナット１３０のサイズは、具体的な用途に従って変わる場合がある。例えば、一部の場合には、特定のボルト１２５は、締め付けシステム１１０を用いて以前に設置された別のボルト１２５より長くすることができる。より長いボルト１２５は、給電ブラシ１７５及び電気ブラシ１８０に対する接触デバイス１１５の初期位置を変更することができる。そのような場合に、電気ブラシ１８０Ａ〜１８０Ｃによって発生される表示は、ネジ突出の量を正確に表現しない場合がある。この問題に対処するために、ハウジング１０５のある一定の実施形態は、較正機構を含むことができる。較正機構は、接触デバイス１１５に対するブラシアセンブリ１８５の高さを調節するのに使用することができる。較正機構は、ブラシアセンブリ１８５、及び／又は給電ブラシ１７５及び複数の電気ブラシ１８０の高さを調節するためのあらゆる適切な機構することができる。ある一定の実施形態において、図２に示すように、較正機構は、１又は２以上の調節ネジ２０５を含むことができる。調節ネジ２０５は、この調節ネジ２０５を回す時に締め付けシステム１１０に対するブラシアセンブリ１８５の高さを上昇させるか又は下降させるように構成することができる。本発明の開示では、あらゆる適切な本数の調節ネジ２０５（又は他の適切な較正機構）を使用することができ、かつ調節ネジ２０５（又は他の適切な較正機構）はあらゆる適切な場所に位置付けることができるように考えられている。更に、調節ネジ２０５は、手動及び／又は電動式とすることができる。図２には、調節ネジ２０５を用いた較正機構を示すが、本発明の開示は、較正機構は締め付けシステム１１０に対してハウジング１０５を上昇させ及び／又は下降させるあらゆる適切な機構とすることができるように考えられている。
【００３３】
図２は、ネジ突出１００を検証するためのシステムの特定の構成を例示するが、本発明の開示は、図２に例示した特定の構成に限定されない。例えば、ある一定の実施形態において、上述の第１、第２、及び第３の回路は、個別の回路でなくてもよく、むしろプロセッサ又は特定用途向け集積回路（ＡＳＩＣ）に接続することができる。別の例として、本発明の開示は、上述のネジ突出１４０の量の１又は２以上の発生された表示をあらゆる適切な方式で構成することができるように考えられている。一部の実施形態において、接触デバイス１１５がハウジング１０５を通って移動する時に、第１、第２、及び第３のＬＥＤの１又は２以上を点灯し続けることができる。一部の実施形態において、第１、第２、及び第３のＬＥＤの１又は２以上は、その後の電気ブラシ１８０が導電領域１６０と接触する時に消灯することができる。例示するために以下の例を考察する。上述のように、電気ブラシ１８０Ａが導電領域１６０と接触する時に第１のＬＥＤを点灯する第１の回路を完成することができる。電気ブラシ１８０Ｂが導電領域１６０と接触する時に第２のＬＥＤを点灯する第２の回路を完成することができる。一部の実施形態において、第１のＬＥＤ及び第２のＬＥＤが同時に点灯するように、第１のＬＥＤは点灯したままにすることができる。一部の実施形態において、第２の回路が完成した時に、第１のＬＥＤは消灯することができ、結果としてどのような所定時間でもＬＥＤの１つだけが点灯する。他の変形が可能であり、本発明の開示は、ネジ突出１４０の量の表示をあらゆる適切な方式よって発生させることができるように考えられている。
【００３４】
ある一定の実施形態は、ＬＥＤの使用を説明するが、本発明の開示は、ネジ突出１４０の量の表示をあらゆる適切な方式よって発生させることができ、ハードウエア及び／又はソフトウエアのあらゆる適切な組合せを使用することができるように考えられている。例えば、ネジ突出１００を検証するためのシステムは、ＬＣＤ、ＬＥＤのようなディスプレイ、又は他の適切なディスプレイを含むことができる。ディスプレイは、ディスプレイ上に信号を提示するように構成されたあらゆる適切な回路及びハードウエアを含むことができる。別の例として、ネジ突出１４０の量の表示は、音及び／又は振動のようなあらゆる適切な物理的な表示を用いて発生させることができる。
【００３５】
ネジ突出１００を検証するためのシステムは、機械工のようなユーザが、ナット１３０の設置後に典型的なネジ突出検査を手動で行うことを不要にすることができる点で有利である場合がある。代わりに、取付者は、上述のように、電気ブラシ１８０Ａ〜１８０Ｃによって発生された１又は２以上の表示に基づいて、ナット１３０がボルト１２５上にネジ込まれる間にナット１３０からのボルト１２５のネジ突出１４０が適正な量であることを検証することができる。更に、取付者は、不適合ファスナ設置にできるだけ早期に気付かされ、それによって不適合ファスナ設置の修理に関連付けられた危険性が低減されるので有利である。
【００３６】
図２に例示したシステムは、ネジ突出１００を検証するためのシステムの特定の構成を例示するが、本発明の開示は、他の実施形態では異なる構成を使用することができるように考えられている。例えば、本発明の開示は、あらゆる適切な数及びあらゆる適切な構成の電気ブラシ１８０を使用することができるように考えられている。更に、図２に例示した例は、様々な電気ブラシ１８０によって発生されたネジ突出の量の表示を説明したが、本発明の開示は、接触デバイス１１５の移動に基づいてネジ突出の量の表示を発生するあらゆる適切な機構を使用することができるように考えられている。ある一定の実施形態において、上述のように、第１、第２、及び第３の表示は、チェックポイントと見なすことができ、点灯したＬＥＤは、各チェックポイントに達したこと、すなわち、第１のチェックポイント（「短すぎる」）、第２のチェックポイント（「正確である」）、第３のチェックポイント（「長すぎる」）を表示することができる。一部の実施形態において、ネジ突出１４０の量を表示する他の手段を使用することができる。例えば、電気ブラシ１８０は、コンピュータプロセッサへの１又は２以上の出力を発生させることができ、コンピュータプロセッサは、次に、接触デバイス１１５の移動に基づいてネジ突出１４０の量を示す１又は２以上の適切な表示を発生することができる。
【００３７】
図３は、ある一定の実施形態による図１及び図２に示すネジ突出１００を検証するためのシステムに使用することができる例示的接触デバイス１１５を例示している。接触デバイス１１５は、あらゆる適切な材料又はこれらの材料の組合せから形成することができ、あらゆる適切な寸法とすることができる。上述のように、接触デバイス１１５は、第１の端部１４５及び第２の端部１５０を含む。接触デバイス１１５の第１の端部１４５は、ボルト１２５に結合するように構成することができる。ある一定の実施形態において、接触デバイス１１５は肩部１５５を含む。肩部１５５は、第１の端部１４５の近くに位置付けることができる。ある一定の実施形態において、肩部１５５は、接触デバイス１１５のボルト１２５内の整合貫通を可能にするように構成される。肩部１５５は、以下で図５Ａ〜図５Ｄに関してより詳細に説明する。
【００３８】
一部の実施形態において、接触デバイス１１５は、第１の絶縁領域１６５と第２の絶縁領域１７０の間に導電領域１６０を含む。ある一定の実施形態において、導電領域１６０、第１の絶縁領域１６５、及び第２の絶縁領域１７０は、第２の端部１５０の近くに又はそこに位置付けることができる。導電領域１６０は、あらゆる適切な寸法にすることができる。導電領域１６０の寸法は、具体的な用途に従って変わる場合がある。導電領域１６０は、あらゆる適切な材料から形成することができる。例えば、ある一定の実施形態において、導電領域１６０は、銅又は他の適切な導電材料から形成することができる。
【００３９】
第１の絶縁領域１６５及び第２の絶縁領域１７０は、導電領域１６０のいずれかの側に位置付けることができる。第１の絶縁領域１６５及び第２の絶縁領域１７０は、あらゆる適切な寸法とすることができる。ある一定の実施形態において、第１の絶縁領域１６５と第２の絶縁領域１７０は、同じ大きさとすることができる。ある一定の他の実施形態において、図３に例示するように、第１の絶縁領域１６５の大きさは、第２の絶縁領域１７０の大きさとは異なることができる。第１の絶縁領域１６５は、第２の絶縁領域１７０と同じか又は異なる材料から製造することができる。第１の絶縁領域１６５及び第２の絶縁領域１７０は、電気を通さないあらゆる適切な材料又はこれらの材料の組合せで製造することができる。例えば、第１の絶縁領域１６５及び第２の絶縁領域１７０は、「超電気絶縁性Ｒｅｘｏｌｉｔｅポリスチレン」で製造することができる。
【００４０】
図４は、ある一定の実施形態による図１及び図２に示すネジ突出１００を検証するためのシステムに使用することができる例示的給電ブラシ１７５又は電気ブラシ１８０を例示している。給電ブラシ１７５又は電気ブラシ１８０は、電気接触器４０５及び接触バネ４１０を含む。接触バネ４１０は、電気接触器４０５が接触デバイス１１５との一定の接触を維持することを保証することができる。
【００４１】
電気接触器４０５は、電気を通すあらゆる適切な材料又はこれらの材料の組合せから形成することができる。ある一定の実施形態において、電気接触器４０５は、グラファイトから形成することができる。一部の実施形態において、電気接触器４０５は、ノッチ付き部分４１５を含むことができる。ノッチ付き部分４１５は、接触デバイス１１５と接触するための曲面４２０を有することができる。ある一定の実施形態において、ノッチ付き部分４１５は、許容範囲を考慮することができる。許容範囲は、あらゆる適切な量とすることができ、具体的な用途に従って変わる場合がある。
【００４２】
図５Ａは、ある一定の実施形態による接触デバイス凹部５０５を有する例示的ボルト１２５を例示している。上述のように、接触デバイス１１５は、ボルト１２５の端部に結合するように構成することができる。ある一定の実施形態において、接触デバイス１１５は、接触デバイス凹部５０５でボルト１２５に結合されるように構成することができる。
【００４３】
図５Ｂは、ある一定の実施形態により接触デバイス１１５をボルト１２５に結合する時に生じる場合がある不整合貫通を例示している。図５Ｂに例示するように、接触デバイス１１５による接触デバイス凹部５０５の不整合貫通がある場合がある。これは、例えば、締め付けシステムにわたるこれらの部分の不整合機械加工によって生じる場合がある。接触デバイス１１５による接触デバイス凹部５０５の不整合貫通は、上述のように、ボルト１２５の端部と接触デバイス１１５の導電領域１６０との間の距離が整合しない点で問題になる場合がある。ボルト１２５の端部と接触デバイス１１５の導電領域１６０との間の距離が整合しないことにより、ネジ突出１４０の量の測定において１つの測定から次の測定への不整合測定をもたらす場合がある。
【００４４】
図５Ｃ及び図５Ｄには、ある一定の実施形態により図５Ｂの接触デバイス１１５を肩部１５５を用いてボルト１２５に結合することが例示されている。不整合貫通の問題及び他の問題に対処するために、接触デバイス１１５のある一定の実施形態は、肩部１５５を含むことができる。図５Ｃ及び図５Ｄに例示するように、肩部１５５は、接触デバイス１１５によるボルト１２５への整合貫通を与え、接触デバイス１１５がボルト１２５の端部内に固定距離で取り付けられることを可能にする。その結果、ボルト１２５の端部と接触デバイス１１５の導電領域１６０との間の距離は、各測定にわたって整合しており、測定から測定へのネジ突出１４０の量の整合した測定を可能にするので有利である。
【００４５】
図４及び図５Ａ〜図５Ｄは、接触デバイス１１５の特定の例示的構成を説明するが、本発明の開示は、あらゆる適切な接触デバイス１１５を使用することができるように考えられている。ある一定の実施形態において、接触デバイス１１５がボルト１２５に結合する方式は、ネジ突出１００を検証するためのシステムがそれと共に使用されるファスナのタイプによって変わる場合がある。例えば、接触デバイス１１５は、図５Ａ〜図５Ｄに示すように、接触デバイス凹部５０５を通じてボルト１２５に結合する代わりに、ボルト１２５の表面に接触するようなあらゆる適切な方式でボルト１２５に結合することができる。別の例として、ある一定の実施形態において、接触デバイス１１５と肩部１５５を組み合わせて、接触デバイス１１５及び肩部１５５を単一構成要素にすることができる。他の実施形態において、接触デバイス１１５及び肩部１５５は、別々の構成要素とすることができ、肩部１５５は、適切な時（例えば、不整合に機械加工されている場合がある接触デバイス凹部５０５をボルト１２５が含む時）だけ使用することができる。ある一定の実施形態において、接触デバイス１１５は、肩部１５５を含まなくてもよい。
【００４６】
図６は、ある一定の実施形態によるネジ突出を検証する方法６００を例示している。方法６００は、接触デバイスの第１の端部がボルトに結合されている時に段階６０４で始まり、接触デバイスは、第１の絶縁領域と第２の絶縁領域の間に導電領域を含む。接触デバイスは、例えば、ＥＤＤＩＥ−ＢＯＬＴ締め付けシステムのような締め付けシステムの構成要素とすることができる。ある一定の実施形態において、ボルトは、締め付けシステムの構成要素とすることができる。
【００４７】
段階６０８で、ナットは、ナットが締め付けられる時に接触デバイスがネジ突出を検証するためのユニットを通って移動するようにボルトに締め付けられる。ユニットは、複数の電気ブラシを含むことができ、各々の複数の電気ブラシは、接触デバイスがユニットを通って移動する時に接触デバイスに順次接触するように配置される。複数の電気ブラシは、グラファイト直流モータブラシとすることができる。ある一定の実施形態において、複数の電気ブラシは、給電ブラシを含むことができ、方法６００は、給電ブラシによって接触デバイスの導電領域に電流又は電圧を印加する段階を更に含むことができる。
【００４８】
段階６０６で、複数の電気ブラシのうちの１又は２以上は、ナットからのボルトのネジ突出の量の１又は２以上の表示を発生する。ある一定の実施形態において、複数の電気ブラシは、第１の電気ブラシ、第２の電気ブラシ、及び第３の電気ブラシを含むことができる。第１の電気ブラシは、接触デバイスがユニットを通って少なくとも第１の距離を移動した後で第１の電気ブラシが接触デバイスの導電領域に接触すると、ボルトのネジ突出の量の第１の表示を発生することができる。第２の電気ブラシは、接触デバイスがユニットを通って少なくとも第２の距離を移動した後で第２の電気ブラシが接触デバイスの導電領域に接触すると、ボルトのネジ突出の量の第２の表示を発生することができる。第３の電気ブラシは、接触デバイスがユニットを通って少なくとも第３の距離を移動した後で第３の電気ブラシが接触デバイスの導電領域に接触すると、ボルトのネジ突出の量の第３の表示を発生することができる。ある一定の実施形態において、第１の表示は、ボルトのネジ突出の量が許容範囲よりも低いという表示を含むことができ、第２の表示は、ボルトのネジ突出の量が許容範囲にあるという表示を含むことができ、第３の表示は、ボルトのネジ突出の量が許容範囲を超えるという表示を含むことができる。
【００４９】
ある一定の実施形態において、１又は２以上の発生された表示のうちの１又は２以上を表示することができる。例えば、１又は２以上の発生された表示のうちの１又は２以上は、ＬＥＤ、ＬＣＤ、又は他の適切なディスプレイを用いて表示することができる。別の例として、１又は２以上の発生される表示は、音又は振動のようなあらゆる適切な物理的な表示を用いて行うことができる。本方法は、接触デバイスに対するネジ突出を検証するためのユニットの位置を調節する段階を更に含むことができる。例えば、ブラシアセンブリの位置及び／又は給電ブラシ及び複数の電気ブラシの位置を調節する較正機構を使用することができる。
【００５０】
本明細書に説明するシステム及び装置に対して開示の範囲から逸脱することなく修正、追加、又は省略を行うことができる。システム及び装置の構成要素は、統合するか又は分離することができる。更に、システム及び装置の作動は、より多い、より少ない、又は他の構成要素によって実行することができる。これに加えて、システム及び装置の作動は、ソフトウエア、ハードウエア、及び／又は他の論理部を含むあらゆる適切な論理部を用いて実行することができる。この明細書に使用する時に、「各々」は、集合の各メンバ、又は集合の部分集合の各メンバを指す。
【００５１】
本明細書に説明する方法に対して開示の範囲から逸脱することなく修正、追加、又は省略を行うことができる。本方法は、より多い、より少ない、又は他の段階を含むことができる。これに加えて、段階は、あらゆる適切な順序で行うことができる。
【００５２】
この開示は、ある一定の実施形態に関して説明したが、当業者には実施形態の代替及び置換が明らかであろう。従って、実施形態の上記説明は、この開示を制限するものではない。以下の特許請求の範囲によって定められるこの開示の精神及び範囲から逸脱することなく、他の変更、置換、及び代替が可能である。
【符号の説明】
【００５３】
１１５  接触デバイス
１４０  ネジ突出
１５５  肩部
１６０  導電領域
１６５  第１の絶縁領域
【図１】
0006630641.tif 000002
【図２】
0006630641.tif 000003
【図３】
0006630641.tif 000004
【図４】
0006630641.tif 000005
【図５Ａ】
0006630641.tif 000006
【図５Ｂ】
0006630641.tif 000007
【図５Ｃ】
0006630641.tif 000008
【図５Ｄ】
0006630641.tif 000009
【図６】
0006630641.tif 000010